【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
遊技領域に設けられた第１始動口及び第２始動口と、
開閉可能で入球することが可能な大入賞口と、
前記第１始動口及び前記第２始動口に遊技球が入球したことに起因して抽出された当否判定用乱数値によって前記大入賞口を開放させる遊技状態を発生させるか否かを判定する当否判定手段と、
前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、
前記第１特別図柄と前記第２特別図柄が同時に変動可能な構成であり、
前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す特別図柄で確定表示させる変動制御手段と、
確定表示された前記大入賞口を開放させることを示す図柄に対応する前記大入賞口を開放させる遊技を実行する大当り遊技実行手段と、
前記大入賞口を開放させる遊技中に行われる遊技演出を実行する大当り遊技演出実行手段とを備えた弾球遊技機において、
遊技者が操作可能な操作手段と、
遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる変動短縮制御手段と、
該変動短縮制御手段によって前記予め決定された変動時間に達する前に確定表示された図柄が、前記第１特別図柄及び前記第２特別図柄ともに前記大入賞口を開放させることを示す図柄であった場合、何れかの特別図柄に対応する前記大入賞口を開放させる遊技を実行させるか否かを決定する大当り遊技決定手段と
を備え、
前記大当り遊技実行手段は、
前記大当り遊技決定手段によって、前記大入賞口を開放させる遊技を実行すると決定されなかった側の特別図柄に対応する前記大入賞口を開放させる遊技を実行せず、
遊技者による前記操作手段の操作に起因して、前記当否判定用乱数値と異なる乱数値を取得する乱数値取得手段を設け、
前記大当り遊技決定手段は、該乱数値取得手段により取得された乱数値によって、前記何れかの特別図柄に対応する前記大入賞口を開放させる遊技を実行させるか否かを決定することを特徴とする弾球遊技機。
【請求項２】
遊技領域に設けられた第１始動口及び第２始動口と、
開閉可能で入球することが可能な大入賞口と、
前記第１始動口及び前記第２始動口に遊技球が入球したことに起因して抽出された当否判定用乱数値によって前記大入賞口を開放させる遊技状態を発生させるか否かを判定する当否判定手段と、
前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、
前記第１特別図柄及び前記第２特別図柄が同時に変動可能な構成であり、
前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す図柄で確定表示させる変動制御手段と、
確定表示された前記大入賞口を開放させることを示す図柄に対応する前記大入賞口を開放させる遊技を実行する大当り遊技実行手段と、
前記大入賞口を開放させる遊技中に行われる遊技演出を実行する大当り遊技演出実行手段を備えた弾球遊技機において、
遊技者が操作可能な操作手段と、
遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる第１変動短縮制御手段と、
遊技者による前記操作手段の操作に起因して、変動中の前記第１特別図柄及び前記第２特別図柄のうち、一方の特別図柄のみを前記予め決定された変動時間に達する前に前記大入賞口を開放させるか否かの判定結果を示す図柄で確定表示させ、他方の特別図柄は前記予め決定された変動時間に達する前に前記大入賞口を開放させるか否かの判定結果とは異なる結果を示す図柄で確定表示させる第２変動短縮制御手段と、
変動中の前記第１特別図柄及び前記第２特別図柄を該第２変動短縮制御手段によって、前記予め決定された変動時間に達する前に前記大入賞口を開放させるか否かの判定結果を示す図柄で確定表示させる一方の特別図柄を決定する確定特別図柄決定手段と
を備え、
変動中の前記第１特別図柄及び前記第２特別図柄の前記大入賞口を開放させるか否かの判定結果が、双方とも前記大入賞口を開放させない判定であった場合又は何れか片方が前記大入賞口を開放させる判定であった場合に、前記操作手段の操作がされると前記第１変動短縮制御手段が作動し、
前記第１特別図柄及び前記第２特別図柄とも前記大入賞口を開放させる判定であった場合に、遊技者による前記操作手段の操作がされると前記第２変動短縮制御手段が作動し、
遊技者による前記操作手段の操作に起因して、前記当否判定用乱数値と異なる乱数値を取得する乱数値取得手段を設け、
前記確定特別図柄決定手段は、該乱数値取得手段により取得された乱数値によって、前記予め決定された変動時間に達する前に前記大入賞口を開放させるか否かの判定結果を示す図柄で確定表示させる一方の特別図柄を決定することを特徴とする弾球遊技機。
【請求項３】
遊技領域に設けられた第１始動口及び第２始動口と、
開閉可能で入球することが可能な大入賞口と、
前記第１始動口及び前記第２始動口に遊技球が入球したことに起因して抽出された乱数値によって前記大入賞口を開放させる遊技状態を発生させるか否かを判定する当否判定手段と、
前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、
前記第１特別図柄と前記第２特別図柄が同時に変動可能な構成であり、
前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す特別図柄で確定表示させる変動制御手段と、
確定表示された前記大入賞口を開放させることを示す図柄に対応する前記大入賞口を開放させる遊技を実行する大当り遊技実行手段と、
前記大入賞口を開放させる遊技中に行われる遊技演出を実行する大当り遊技演出実行手段とを備えた弾球遊技機において、
遊技者が操作可能な操作手段と、
遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる変動短縮制御手段と、
該変動短縮制御手段によって前記予め決定された変動時間に達する前に確定表示された図柄が、前記第１特別図柄及び前記第２特別図柄ともに前記大入賞口を開放させることを示す図柄であった場合、何れかの特別図柄に対応する前記大入賞口を開放させる遊技を実行させるか否かを決定する大当り遊技決定手段と
を備え、
前記大当り遊技実行手段は、
前記大当り遊技決定手段によって、前記大入賞口を開放させる遊技を実行すると決定されなかった側の特別図柄に対応する前記大入賞口を開放させる遊技を実行せず、
変動中の前記第１特別図柄及び前記第２特別図柄ともに前記大入賞口を開放させる判定であった場合に、遊技者により前記操作手段が操作されると、前記操作手段が操作されたときから前記予め決定された変動時間に達するまでの前記第１特別図柄及び前記第２特別図柄の残り変動時間のうち、何れの特別図柄の残り変動時間の方が短いかを判定する残時間判定手段を設け、
前記大当り遊技決定手段は、該残時間判定手段によって短いと判定された特別図柄に対応する前記大入賞口を開放させる遊技を実行させると決定することを特徴とする弾球遊技機。
【請求項４】
遊技領域に設けられた第１始動口及び第２始動口と、
開閉可能で入球することが可能な大入賞口と、
前記第１始動口及び前記第２始動口に遊技球が入球したことに起因して抽出された乱数値によって前記大入賞口を開放させる遊技状態を発生させるか否かを判定する当否判定手段と、
前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、
前記第１特別図柄及び前記第２特別図柄が同時に変動可能な構成であり、
前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す図柄で確定表示させる変動制御手段と、
確定表示された前記大入賞口を開放させることを示す図柄に対応する前記大入賞口を開放させる遊技を実行する大当り遊技実行手段と、
前記大入賞口を開放させる遊技中に行われる遊技演出を実行する大当り遊技演出実行手段を備えた弾球遊技機において、
遊技者が操作可能な操作手段と、
遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる第１変動短縮制御手段と、
遊技者による前記操作手段の操作に起因して、変動中の前記第１特別図柄及び前記第２特別図柄のうち、一方の特別図柄のみを前記予め決定された変動時間に達する前に前記大入賞口を開放させるか否かの判定結果を示す図柄で確定表示させ、他方の特別図柄は前記予め決定された変動時間に達する前に前記大入賞口を開放させるか否かの判定結果とは異なる結果を示す図柄で確定表示させる第２変動短縮制御手段と、
変動中の前記第１特別図柄及び前記第２特別図柄を該第２変動短縮制御手段によって、前記予め決定された変動時間に達する前に前記大入賞口を開放させるか否かの判定結果を示す図柄で確定表示させる一方の特別図柄を決定する確定特別図柄決定手段と
を備え、
変動中の前記第１特別図柄及び前記第２特別図柄の前記大入賞口を開放させるか否かの判定結果が、双方とも前記大入賞口を開放させない判定であった場合又は何れか片方が前記大入賞口を開放させる判定であった場合に、前記操作手段の操作がされると前記第１変動短縮制御手段が作動し、
前記第１特別図柄及び前記第２特別図柄とも前記大入賞口を開放させる判定であった場合に、遊技者による前記操作手段の操作がされると前記第２変動短縮制御手段が作動し、
変動中の前記第１特別図柄及び前記第２特別図柄ともに前記大入賞口を開放させる判定であった場合に、遊技者により前記操作手段が操作されると、前記操作手段が操作されたときから前記予め決定された変動時間に達するまでの前記第１特別図柄及び前記第２特別図柄の残り変動時間のうち、何れの特別図柄の残り変動時間の方が短いかを判定する残時間判定手段を設け、
前記確定特別図柄決定手段は、該残時間判定手段により短いと判定された特別図柄を確定表示させると決定することを特徴とする弾球遊技機。
【請求項５】
遊技領域に設けられた第１始動口及び第２始動口と、
開閉可能で入球することが可能な大入賞口と、
前記第１始動口及び前記第２始動口に遊技球が入球したことに起因して抽出された乱数値によって前記大入賞口を開放させる遊技状態を発生させるか否かを判定する当否判定手段と、
前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、
前記第１特別図柄と前記第２特別図柄が同時に変動可能な構成であり、
前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す特別図柄で確定表示させる変動制御手段と、
確定表示された前記大入賞口を開放させることを示す図柄に対応する前記大入賞口を開放させる遊技を実行する大当り遊技実行手段と、
前記大入賞口を開放させる遊技中に行われる遊技演出を実行する大当り遊技演出実行手段とを備えた弾球遊技機において、
遊技者が操作可能な操作手段と、
遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる変動短縮制御手段と、
該変動短縮制御手段によって前記予め決定された変動時間に達する前に確定表示された図柄が、前記第１特別図柄及び前記第２特別図柄ともに前記大入賞口を開放させることを示す図柄であった場合、何れかの特別図柄に対応する前記大入賞口を開放させる遊技を実行させるか否かを決定する大当り遊技決定手段と
を備え、
前記大当り遊技実行手段は、
前記大当り遊技決定手段によって、前記大入賞口を開放させる遊技を実行すると決定されなかった側の特別図柄に対応する前記大入賞口を開放させる遊技を実行せず、
変動中の前記第１特別図柄及び前記第２特別図柄ともに前記大入賞口を開放させる判定であった場合に、遊技者により前記操作手段が操作されると、前記操作手段が操作されるまでに経過した前記第１特別図柄及び前記第２特別図柄の変動時間のうち、何れの特別図柄の経過した変動時間の方が長いかを判定する経過時間判定手段を設け、
前記大当り遊技決定手段は、該経過時間判定手段により長いと判定された特別図柄に対応する前記大入賞口を開放させる遊技を実行させると決定することを特徴とする弾球遊技機。
【請求項６】
遊技領域に設けられた第１始動口及び第２始動口と、
開閉可能で入球することが可能な大入賞口と、
前記第１始動口及び前記第２始動口に遊技球が入球したことに起因して抽出された乱数値によって前記大入賞口を開放させる遊技状態を発生させるか否かを判定する当否判定手段と、
前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、
前記第１特別図柄及び前記第２特別図柄が同時に変動可能な構成であり、
前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す図柄で確定表示させる変動制御手段と、
確定表示された前記大入賞口を開放させることを示す図柄に対応する前記大入賞口を開放させる遊技を実行する大当り遊技実行手段と、
前記大入賞口を開放させる遊技中に行われる遊技演出を実行する大当り遊技演出実行手段を備えた弾球遊技機において、
遊技者が操作可能な操作手段と、
遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる第１変動短縮制御手段と、
遊技者による前記操作手段の操作に起因して、変動中の前記第１特別図柄及び前記第２特別図柄のうち、一方の特別図柄のみを前記予め決定された変動時間に達する前に前記大入賞口を開放させるか否かの判定結果を示す図柄で確定表示させ、他方の特別図柄は前記予め決定された変動時間に達する前に前記大入賞口を開放させるか否かの判定結果とは異なる結果を示す図柄で確定表示させる第２変動短縮制御手段と、
変動中の前記第１特別図柄及び前記第２特別図柄を該第２変動短縮制御手段によって、前記予め決定された変動時間に達する前に前記大入賞口を開放させるか否かの判定結果を示す図柄で確定表示させる一方の特別図柄を決定する確定特別図柄決定手段と
を備え、
変動中の前記第１特別図柄及び前記第２特別図柄の前記大入賞口を開放させるか否かの判定結果が、双方とも前記大入賞口を開放させない判定であった場合又は何れか片方が前記大入賞口を開放させる判定であった場合に、前記操作手段の操作がされると前記第１変動短縮制御手段が作動し、
前記第１特別図柄及び前記第２特別図柄とも前記大入賞口を開放させる判定であった場合に、遊技者による前記操作手段の操作がされると前記第２変動短縮制御手段が作動し、
変動中の前記第１特別図柄及び前記第２特別図柄ともに前記大入賞口を開放させる判定であった場合に、遊技者により前記操作手段が操作されると、前記操作手段が操作されるまでに経過した前記第１特別図柄及び前記第２特別図柄の変動時間のうち、何れの特別図柄の経過した変動時間の方が長いかを判定する経過時間判定手段を設け、
前記確定特別図柄決定手段は、該経過時間判定手段により長いと判定された特別図柄を確定表示させる一方の特別図柄に決定することを特徴とする弾球遊技機。
【手続補正２】
【補正対象書類名】明細書
【補正対象項目名】００１３
【補正方法】変更
【補正の内容】
【００１３】
本発明の請求項２の弾球遊技機は、遊技領域に設けられた第１始動口及び第２始動口と、開閉可能で入球することが可能な大入賞口と、前記第１始動口及び前記第２始動口に遊技球が入球したことに起因して抽出された当否判定用乱数値によって前記大入賞口を開放させる遊技状態を発生させるか否かを判定する当否判定手段と、前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、前記第１特別図柄及び前記第２特別図柄が同時に変動可能な構成であり、前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す図柄で確定表示させる変動制御手段と、確定表示された前記大入賞口を開放させることを示す図柄に対応する前記大入賞口を開放させる遊技を実行する大当り遊技実行手段と、前記大入賞口を開放させる遊技中に行われる遊技演出を実行する大当り遊技演出実行手段を備えた弾球遊技機において、遊技者が操作可能な操作手段と、遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる第１変動短縮制御手段と、遊技者による前記操作手段の操作に起因して、変動中の前記第１特別図柄及び前記第２特別図柄のうち、一方の特別図柄のみを前記予め決定された変動時間に達する前に前記大入賞口を開放させるか否かの判定結果を示す図柄で確定表示させ、他方の特別図柄は前記予め決定された変動時間に達する前に前記大入賞口を開放させるか否かの判定結果とは異なる結果を示す図柄で確定表示させる第２変動短縮制御手段と、変動中の前記第１特別図柄及び前記第２特別図柄を該第２変動短縮制御手段によって、前記予め決定された変動時間に達する前に前記大入賞口を開放させるか否かの判定結果を示す図柄で確定表示させる一方の特別図柄を決定する確定特別図柄決定手段とを備え、変動中の前記第１特別図柄及び前記第２特別図柄の前記大入賞口を開放させるか否かの判定結果が、双方とも前記大入賞口を開放させない判定であった場合又は何れか片方が前記大入賞口を開放させる判定であった場合に、前記操作手段の操作がされると前記第１変動短縮制御手段が作動し、前記第１特別図柄及び前記第２特別図柄とも前記大入賞口を開放させる判定であった場合に、遊技者による前記操作手段の操作がされると前記第２変動短縮制御手段が作動し、遊技者による前記操作手段の操作に起因して、前記当否判定用乱数値と異なる乱数値を取得する乱数値取得手段を設け、前記確定特別図柄決定手段は、該乱数値取得手段により取得された乱数値によって、前記予め決定された変動時間に達する前に前記大入賞口を開放させるか否かの判定結果を示す図柄で確定表示させる一方の特別図柄を決定することを特徴とする。
【手続補正３】
【補正対象書類名】明細書
【補正対象項目名】００１６
【補正方法】変更
【補正の内容】
【００１６】
本発明の請求項３の弾球遊技機は、遊技領域に設けられた第１始動口及び第２始動口と、開閉可能で入球することが可能な大入賞口と、前記第１始動口及び前記第２始動口に遊技球が入球したことに起因して抽出された乱数値によって前記大入賞口を開放させる遊技状態を発生させるか否かを判定する当否判定手段と、前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、前記第１特別図柄と前記第２特別図柄が同時に変動可能な構成であり、前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す特別図柄で確定表示させる変動制御手段と、確定表示された前記大入賞口を開放させることを示す図柄に対応する前記大入賞口を開放させる遊技を実行する大当り遊技実行手段と、前記大入賞口を開放させる遊技中に行われる遊技演出を実行する大当り遊技演出実行手段とを備えた弾球遊技機において、遊技者が操作可能な操作手段と、遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる変動短縮制御手段と、該変動短縮制御手段によって前記予め決定された変動時間に達する前に確定表示された図柄が、前記第１特別図柄及び前記第２特別図柄ともに前記大入賞口を開放させることを示す図柄であった場合、何れかの特別図柄に対応する前記大入賞口を開放させる遊技を実行させるか否かを決定する大当り遊技決定手段とを備え、前記大当り遊技実行手段は、前記大当り遊技決定手段によって、前記大入賞口を開放させる遊技を実行すると決定されなかった側の特別図柄に対応する前記大入賞口を開放させる遊技を実行せず、変動中の前記第１特別図柄及び前記第２特別図柄ともに前記大入賞口を開放させる判定であった場合に、遊技者により前記操作手段が操作されると、前記操作手段が操作されたときから前記予め決定された変動時間に達するまでの前記第１特別図柄及び前記第２特別図柄の残り変動時間のうち、何れの特別図柄の残り変動時間の方が短いかを判定する残時間判定手段を設け、前記大当り遊技決定手段は、該残時間判定手段によって短いと判定された特別図柄に対応する前記大入賞口を開放させる遊技を実行させると決定することを特徴とする。
【手続補正４】
【補正対象書類名】明細書
【補正対象項目名】００１７
【補正方法】変更
【補正の内容】
【００１７】
本発明の請求項４の弾球遊技機は、遊技領域に設けられた第１始動口及び第２始動口と、開閉可能で入球することが可能な大入賞口と、前記第１始動口及び前記第２始動口に遊技球が入球したことに起因して抽出された乱数値によって前記大入賞口を開放させる遊技状態を発生させるか否かを判定する当否判定手段と、前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、前記第１特別図柄及び前記第２特別図柄が同時に変動可能な構成であり、前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す図柄で確定表示させる変動制御手段と、確定表示された前記大入賞口を開放させることを示す図柄に対応する前記大入賞口を開放させる遊技を実行する大当り遊技実行手段と、前記大入賞口を開放させる遊技中に行われる遊技演出を実行する大当り遊技演出実行手段を備えた弾球遊技機において、遊技者が操作可能な操作手段と、遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる第１変動短縮制御手段と、遊技者による前記操作手段の操作に起因して、変動中の前記第１特別図柄及び前記第２特別図柄のうち、一方の特別図柄のみを前記予め決定された変動時間に達する前に前記大入賞口を開放させるか否かの判定結果を示す図柄で確定表示させ、他方の特別図柄は前記予め決定された変動時間に達する前に前記大入賞口を開放させるか否かの判定結果とは異なる結果を示す図柄で確定表示させる第２変動短縮制御手段と、変動中の前記第１特別図柄及び前記第２特別図柄を該第２変動短縮制御手段によって、前記予め決定された変動時間に達する前に前記大入賞口を開放させるか否かの判定結果を示す図柄で確定表示させる一方の特別図柄を決定する確定特別図柄決定手段とを備え、変動中の前記第１特別図柄及び前記第２特別図柄の前記大入賞口を開放させるか否かの判定結果が、双方とも前記大入賞口を開放させない判定であった場合又は何れか片方が前記大入賞口を開放させる判定であった場合に、前記操作手段の操作がされると前記第１変動短縮制御手段が作動し、前記第１特別図柄及び前記第２特別図柄とも前記大入賞口を開放させる判定であった場合に、遊技者による前記操作手段の操作がされると前記第２変動短縮制御手段が作動し、変動中の前記第１特別図柄及び前記第２特別図柄ともに前記大入賞口を開放させる判定であった場合に、遊技者により前記操作手段が操作されると、前記操作手段が操作されたときから前記予め決定された変動時間に達するまでの前記第１特別図柄及び前記第２特別図柄の残り変動時間のうち、何れの特別図柄の残り変動時間の方が短いかを判定する残時間判定手段を設け、前記確定特別図柄決定手段は、該残時間判定手段により短いと判定された特別図柄を確定表示させると決定することを特徴とする。
【手続補正５】
【補正対象書類名】明細書
【補正対象項目名】００１８
【補正方法】変更
【補正の内容】
【００１８】
本発明の請求項５の弾球遊技機は、遊技領域に設けられた第１始動口及び第２始動口と、開閉可能で入球することが可能な大入賞口と、前記第１始動口及び前記第２始動口に遊技球が入球したことに起因して抽出された乱数値によって前記大入賞口を開放させる遊技状態を発生させるか否かを判定する当否判定手段と、前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、前記第１特別図柄と前記第２特別図柄が同時に変動可能な構成であり、前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す特別図柄で確定表示させる変動制御手段と、確定表示された前記大入賞口を開放させることを示す図柄に対応する前記大入賞口を開放させる遊技を実行する大当り遊技実行手段と、前記大入賞口を開放させる遊技中に行われる遊技演出を実行する大当り遊技演出実行手段とを備えた弾球遊技機において、遊技者が操作可能な操作手段と、遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる変動短縮制御手段と、該変動短縮制御手段によって前記予め決定された変動時間に達する前に確定表示された図柄が、前記第１特別図柄及び前記第２特別図柄ともに前記大入賞口を開放させることを示す図柄であった場合、何れかの特別図柄に対応する前記大入賞口を開放させる遊技を実行させるか否かを決定する大当り遊技決定手段とを備え、前記大当り遊技実行手段は、前記大当り遊技決定手段によって、前記大入賞口を開放させる遊技を実行すると決定されなかった側の特別図柄に対応する前記大入賞口を開放させる遊技を実行せず、変動中の前記第１特別図柄及び前記第２特別図柄ともに前記大入賞口を開放させる判定であった場合に、遊技者により前記操作手段が操作されると、前記操作手段が操作されるまでに経過した前記第１特別図柄及び前記第２特別図柄の変動時間のうち、何れの特別図柄の経過した変動時間の方が長いかを判定する経過時間判定手段を設け、前記大当り遊技決定手段は、該経過時間判定手段により長いと判定された特別図柄に対応する前記大入賞口を開放させる遊技を実行させると決定することを特徴とする。
【手続補正６】
【補正対象書類名】明細書
【補正対象項目名】００１９
【補正方法】変更
【補正の内容】
【００１９】
本発明の請求項６の弾球遊技機は、遊技領域に設けられた第１始動口及び第２始動口と、開閉可能で入球することが可能な大入賞口と、前記第１始動口及び前記第２始動口に遊技球が入球したことに起因して抽出された乱数値によって前記大入賞口を開放させる遊技状態を発生させるか否かを判定する当否判定手段と、前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、前記第１特別図柄及び前記第２特別図柄が同時に変動可能な構成であり、前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す図柄で確定表示させる変動制御手段と、確定表示された前記大入賞口を開放させることを示す図柄に対応する前記大入賞口を開放させる遊技を実行する大当り遊技実行手段と、前記大入賞口を開放させる遊技中に行われる遊技演出を実行する大当り遊技演出実行手段を備えた弾球遊技機において、遊技者が操作可能な操作手段と、遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる第１変動短縮制御手段と、遊技者による前記操作手段の操作に起因して、変動中の前記第１特別図柄及び前記第２特別図柄のうち、一方の特別図柄のみを前記予め決定された変動時間に達する前に前記大入賞口を開放させるか否かの判定結果を示す図柄で確定表示させ、他方の特別図柄は前記予め決定された変動時間に達する前に前記大入賞口を開放させるか否かの判定結果とは異なる結果を示す図柄で確定表示させる第２変動短縮制御手段と、変動中の前記第１特別図柄及び前記第２特別図柄を該第２変動短縮制御手段によって、前記予め決定された変動時間に達する前に前記大入賞口を開放させるか否かの判定結果を示す図柄で確定表示させる一方の特別図柄を決定する確定特別図柄決定手段とを備え、変動中の前記第１特別図柄及び前記第２特別図柄の前記大入賞口を開放させるか否かの判定結果が、双方とも前記大入賞口を開放させない判定であった場合又は何れか片方が前記大入賞口を開放させる判定であった場合に、前記操作手段の操作がされると前記第１変動短縮制御手段が作動し、前記第１特別図柄及び前記第２特別図柄とも前記大入賞口を開放させる判定であった場合に、遊技者による前記操作手段の操作がされると前記第２変動短縮制御手段が作動し、変動中の前記第１特別図柄及び前記第２特別図柄ともに前記大入賞口を開放させる判定であった場合に、遊技者により前記操作手段が操作されると、前記操作手段が操作されるまでに経過した前記第１特別図柄及び前記第２特別図柄の変動時間のうち、何れの特別図柄の経過した変動時間の方が長いかを判定する経過時間判定手段を設け、前記確定特別図柄決定手段は、該経過時間判定手段により長いと判定された特別図柄を確定表示させる一方の特別図柄に決定することを特徴とする。
【手続補正７】
【補正対象書類名】明細書
【補正対象項目名】０１８８
【補正方法】変更
【補正の内容】
【０１８８】
肯定判定された場合（Ｓ１２０２：ｙｅｓ）は、大当り遊技決定処理２(Ｓ１２０３)を行う。本実施例では、図３８のＳ１１６０で判定した結果に基づいて第１特別図柄及び第２特別図柄のうち、残り変動時間が短い方の特別図柄に対応した大当り遊技を実行することを決定し、第１特別図柄及び第２特別図柄のうち、残り変動時間が長い方の特別図柄に対応した大当り遊技は破棄する。
また、図３８のＳ１１６０において、特別図柄が変動を開始して、変動短縮ボタン６９が操作されるまでに経過した変動時間が長い方の特別図柄を判定する構成の場合には、図３８のＳ１１６０で判定した結果に基づいて第１特別図柄及び第２特別図柄のうち、経過した変動時間が長い方の特別図柄に対応した大当り遊技を実行することを決定し、第１特別図柄及び第２特別図柄のうち、経過した変動時間が短い方の特別図柄に対応した大当り遊技は破棄する。